(57)【要約】【課題】建物内の所定範囲（フロア等）における資産管理を簡便に実現できる資産管理システム、資産管理サーバ、資産管理方法及びプログラムを提供する。【解決手段】資産管理サーバは、携帯端末から受信した位置情報と、位置情報と資産が設置される建物内の位置とを対応させた位置テーブルと、に基づいて、携帯端末から受信した資産情報の資産が建物内のどのゾーンに属するかを計算し、資産の設置場所を示す設置場所情報を生成する設置場所算出手段と、携帯端末から受信した、資産情報、位置情報、及び、携帯端末の使用者を示す使用者情報又は携帯端末自身の識別情報と、設置場所算出手段により生成した設置場所情報と、をそれぞれ対応付けた管理情報を生成する管理情報生成手段と、位置テーブル及び管理情報を記憶する記憶手段と、を有する。【選択図】図１
2007316996.tif 000002
【特許請求の範囲】
【請求項１】
管理対象となる資産と、携帯端末と、前記携帯端末と通信を行う資産管理サーバと、を有する資産管理システムであって、
前記資産は、
前記資産を識別するための資産情報を有する資産管理タグを有し、
前記携帯端末は、
前記資産管理タグから前記資産情報を読み取る読取手段と、
ＧＰＳ衛星から受信した信号に基づいて現在位置を示す位置情報を生成する測位手段と、
前記資産情報、前記位置情報、及び、前記携帯端末の使用者を示す使用者情報又は前記携帯端末自身の識別情報を前記資産管理サーバへ送信する通信手段と、を有し、
前記資産管理サーバは、
前記携帯端末から受信した位置情報と、該位置情報と前記資産が設置される建物内の位置とを対応させた位置テーブルと、に基づいて、前記携帯端末から受信した前記資産情報の資産が建物内のどのゾーンに属するかを計算し、該資産の設置場所を示す設置場所情報を生成する設置場所算出手段と、
前記携帯端末から受信した、前記資産情報、前記位置情報、及び、前記携帯端末の使用者を示す使用者情報又は前記携帯端末自身の識別情報と、前記設置場所算出手段により生成した前記設置場所情報と、をそれぞれ対応付けた管理情報を生成する管理情報生成手段と、
少なくとも、前記位置テーブルと、前記管理情報とを記憶する記憶手段と、
を有することを特徴とする資産管理システム。
【請求項２】
前記携帯端末は、
前記読取手段により前記資産管理タグを読み取ると同時に、前記測位手段により前記位置情報を生成し、前記資産情報、前記位置情報、及び、前記携帯端末の使用者を示す使用者情報又は前記携帯端末自身の識別情報、をそれぞれ対応付けて記憶することを特徴とする請求項１記載の資産管理システム。
【請求項３】
前記資産管理サーバは、
前記携帯端末から、前記資産情報、前記位置情報、及び、前記携帯端末の使用者を示す使用者情報又は前記携帯端末自身の識別情報を受信した場合、受信した前記資産情報に該当する管理情報を前記記憶手段から検索する検索手段を有し、
前記検索手段による検索の結果、該当する管理情報が前記記憶手段にない場合、
前記設置場所算出手段により、受信した前記位置情報と前記位置テーブルとに基づいて、受信した前記資産情報の資産の設置場所情報を生成し、
前記管理情報生成手段により、前記携帯端末から受信した、前記資産情報、前記位置情報、及び、前記携帯端末の使用者を示す使用者情報又は前記携帯端末自身の識別情報と、生成した前記設置場所情報とを対応付けて、新規の管理情報として前記記憶手段に格納することを特徴とする請求項１又は２記載の資産管理システム。
【請求項４】
前記検索手段による検索の結果、該当する管理情報が前記記憶手段にある場合、
前記設置場所算出手段により、受信した前記位置情報と前記位置テーブルとに基づいて、受信した前記資産情報の資産の設置場所情報を生成し、
前記管理情報生成手段により、生成した前記設置場所情報と、検索した前記管理情報の設置場所情報とを比較し、
前記比較の結果、前記両設置場所情報が一致しない場合、検索した前記管理情報の設置場所情報を、生成した前記設置場所情報に更新するとともに、前記資産の設置位置が変更された旨を示す変更情報を、前記資産管理サーバの出力手段又は前記携帯端末の出力手段へ出力することを特徴とする請求項３記載の資産管理システム。
【請求項５】
前記資産情報は、前記資産の有形固定資産の区分けを示す資産番号と、前記資産の名称を示す識別情報とを含むことを特徴とする請求項１から４のいずれか１項に記載の資産管理システム。
【請求項６】
前記位置テーブルは、前記建物内のフロアを所定の大きさのゾーンに分割したテーブルであることを特徴とする請求項１から５のいずれか１項に記載の資産管理システム。
【請求項７】
請求項１から６のいずれか１項に記載の資産管理システムにおいて資産管理サーバとして用いられることを特徴とする資産管理サーバ。
【請求項８】
管理対象となる資産と、携帯端末と、前記携帯端末と通信を行う資産管理サーバと、を用いて行う資産管理方法であって、
前記携帯端末は、
前記資産が有する資産管理タグから、前記資産を識別するための資産情報を読み取る資産情報読取ステップと、
ＧＰＳ衛星から受信した信号に基づいて現在位置を示す位置情報を生成する位置情報生成ステップと、
前記資産情報、前記位置情報、及び、前記携帯端末の使用者を示す使用者情報又は前記携帯端末自身の識別情報を前記資産管理サーバへ送信する情報送信ステップと、を行い、
前記資産管理サーバは、
前記携帯端末から受信した位置情報と、該位置情報と前記資産が設置される建物内の位置とを対応させた位置テーブルと、に基づいて、前記携帯端末から受信した前記資産情報の資産が建物内のどのゾーンに属するかを計算し、該資産の設置場所を示す設置場所情報を生成する設置場所算出ステップと、
前記携帯端末から受信した、前記資産情報、前記位置情報、及び、前記携帯端末の使用者を示す使用者情報又は前記携帯端末自身の識別情報と、前記設置場所算出ステップで生成した前記設置場所情報と、をそれぞれ対応付けた管理情報を生成する管理情報生成ステップと、
前記管理情報を記憶手段に記憶する管理情報記憶ステップと、
を行うことを特徴とする資産管理方法。
【請求項９】
前記携帯端末は、
前記資産情報読取ステップと、前記位置情報生成ステップとを行った後、
前記資産情報、前記位置情報、及び、前記携帯端末の使用者を示す使用者情報又は前記携帯端末自身の識別情報、をそれぞれ対応付けて記憶する各種情報記憶ステップをさらに行うことを特徴とする請求項８記載の資産管理システム。
【請求項１０】
前記資産管理サーバは、
前記携帯端末から、前記資産情報、前記位置情報、及び、前記携帯端末の使用者を示す使用者情報又は前記携帯端末自身の識別情報を受信した場合、
受信した前記資産情報に該当する管理情報を前記記憶手段から検索する検索ステップを行い、
前記検索ステップの結果、該当する管理情報が前記記憶手段にない場合、
前記設置場所算出ステップで、受信した前記資産情報の資産の設置場所情報を生成し、
前記管理情報生成ステップで、前記携帯端末から受信した、前記資産情報、前記位置情報、及び、前記携帯端末の使用者を示す使用者情報又は前記携帯端末自身の識別情報と、生成した前記設置場所情報とを対応付けて、新規の管理情報として生成し、
前記管理情報記憶ステップで、前記新規の管理情報を前記記憶手段に格納することを特徴とする請求項８又は９記載の資産管理方法。
【請求項１１】
前記検索ステップの結果、該当する管理情報が前記記憶手段にある場合、
前記設置場所算出ステップで、受信した前記資産情報の資産の設置場所情報を生成した後、生成した前記設置場所情報と、検索した前記管理情報の設置場所情報とを比較する比較ステップを行い、
前記比較ステップの結果、前記両設置場所情報が一致しない場合、検索した前記管理情報の設置場所情報を、生成した前記設置場所情報に更新する更新ステップと、
前記資産の設置位置が変更された旨を示す変更情報を、前記資産管理サーバの出力手段又は前記携帯端末の出力手段へ出力する出力ステップと、
を行うことを特徴とする請求項１０記載の資産管理方法。
【請求項１２】
前記資産情報は、前記資産の有形固定資産の区分けを示す資産番号と、前記資産の名称を示す識別情報とを含むことを特徴とする請求項８から１１のいずれか１項に記載の資産管理方法。
【請求項１３】
前記位置テーブルは、前記建物内のフロアを所定の大きさのゾーンに分割したテーブルであることを特徴とする請求項８から１２のいずれか１項に記載の資産管理方法。
【請求項１４】
携帯端末と通信を行う資産管理サーバに、請求項８から１３のいずれか１項に記載の資産管理方法を実行させるためのプログラムであって、
管理対象となる資産を識別するための資産情報、前記携帯端末の現在位置を示す位置情報、及び、前記携帯端末の使用者を示す使用者情報又は前記携帯端末自身の識別情報を前記携帯端末から受信する各種情報受信処理と、
前記携帯端末から受信した位置情報と、該位置情報と前記資産が設置される建物内の位置とを対応させた位置テーブルと、に基づいて、前記携帯端末から受信した前記資産情報の資産が建物内のどのゾーンに属するかを計算し、該資産の設置場所を示す設置場所情報を生成する設置場所算出処理と、
前記携帯端末から受信した、前記資産情報、前記位置情報、及び、前記携帯端末の使用者を示す使用者情報又は前記携帯端末自身の識別情報と、前記設置場所算出処理で生成した前記設置場所情報と、をそれぞれ対応付けた管理情報を生成する管理情報生成処理と、
前記管理情報を記憶手段に記憶する管理情報記憶処理と、
を前記資産管理サーバに実行させることを特徴とするプログラム。
【請求項１５】
前記携帯端末から、前記資産情報、前記位置情報、及び、前記携帯端末の使用者を示す使用者情報又は前記携帯端末自身の識別情報を受信した場合、
受信した前記資産情報に該当する管理情報を前記記憶手段から検索する検索処理を実行させ、
前記検索処理の結果、該当する管理情報が前記記憶手段にない場合、
前記設置場所算出処理で、受信した前記資産情報の資産の設置場所情報を生成し、
前記管理情報生成処理で、前記携帯端末から受信した、前記資産情報、前記位置情報、及び、前記携帯端末の使用者を示す使用者情報又は前記携帯端末自身の識別情報と、生成した前記設置場所情報とを対応付けて、新規の管理情報として生成し、
前記管理情報記憶処理で、前記新規の管理情報を前記記憶手段に格納することを前記資産管理サーバに実行させることを特徴とする請求項１４記載のプログラム。
【請求項１６】
前記検索処理の結果、該当する管理情報が前記記憶手段にある場合、
前記設置場所算出処理で、受信した前記資産情報の資産の設置場所情報を生成した後、生成した前記設置場所情報と、検索した前記管理情報の設置場所情報とを比較する比較処理を実行させ、
前記比較処理の結果、前記両設置場所情報が一致しない場合、検索した前記管理情報の設置場所情報を、生成した前記設置場所情報に更新する更新処理と、
前記資産の設置位置が変更された旨を示す変更情報を、前記資産管理サーバの出力手段又は前記携帯端末の出力手段へ出力する出力処理と、
を前記資産管理サーバに実行させることを特徴とする請求項１５記載のプログラム。
【発明の詳細な説明】
【技術分野】
【０００１】
本発明は、通信により資産を管理するための資産管理システム、資産管理サーバ、資産管理方法及びプログラムに関する。
【背景技術】
【０００２】
従来、固定資産の管理は、帳簿を用いて現物を確認し、その所在を手作業で記録し入力することで対応してきた。このような方法では担当者の負担は膨大となる。
一方、携帯電話に代表される移動体通信端末装置には、バーコードリーダ等の情報読取手段が搭載されることが一般的になっており、ＧＰＳ（Global Positioning System）等の測位手段も標準的に搭載されることが予想される。
【０００３】
資産管理に係る従来技術例として、携帯端末と管理サーバとの通信により、店舗における商品管理に必要な各種作業を簡略することができる「店舗支援システム」がある（例えば、特許文献１参照）。
また、別の従来技術例として、ゲート型検出装置と資産管理サーバとの通信により、正確な資産管理を行うことができる「資産管理システム、ゲート装置、資産管理サーバ、及び、プログラム」がある（例えば、特許文献２参照）。
【特許文献１】特開２００３−０９９５０９号公報
【特許文献２】特開２００３−２９６５３３号公報
【発明の開示】
【発明が解決しようとする課題】
【０００４】
しかしながら、上記特許文献１記載の発明は、管理サーバは、携帯端末からの現在位置データに基づいて店舗自体を特定するものであり、また、同一商品を一括管理するものであるので、店舗内における個々の商品の管理（例えば、店舗内での商品設置場所の変更等）に対応することができない。
【０００５】
また、上記特許文献２記載の発明は、資産を検出するためのゲート型検出装置をフロア毎に設置する必要があるので、設置コストがかかる。また、ゲート型検出装置は、建物等のフロアの出入口に固定的に設置され、かつ、ゲート型検出装置を通過した資産のみを管理するものであるので、フロア内における個々の資産の管理（例えば、フロア内での資産設置場所の変更等）に対応することができない。
【０００６】
本発明は、上記事情に鑑みてなされたものであり、建物内の所定範囲（フロア等）における資産管理を簡便に実現できる資産管理システム、資産管理サーバ、資産管理方法及びプログラムを提供することを目的とする。
【課題を解決するための手段】
【０００７】
かかる目的を達成するために、請求項１記載の発明は、管理対象となる資産と、携帯端末と、携帯端末と通信を行う資産管理サーバと、を有する資産管理システムであって、資産は、資産を識別するための資産情報を有する資産管理タグを有し、携帯端末は、資産管理タグから資産情報を読み取る読取手段と、ＧＰＳ衛星から受信した信号に基づいて現在位置を示す位置情報を生成する測位手段と、資産情報、位置情報、及び、携帯端末の使用者を示す使用者情報又は携帯端末自身の識別情報を資産管理サーバへ送信する通信手段と、を有し、資産管理サーバは、携帯端末から受信した位置情報と、位置情報と資産が設置される建物内の位置とを対応させた位置テーブルと、に基づいて、携帯端末から受信した資産情報の資産が建物内のどのゾーンに属するかを計算し、資産の設置場所を示す設置場所情報を生成する設置場所算出手段と、携帯端末から受信した、資産情報、位置情報、及び、携帯端末の使用者を示す使用者情報又は携帯端末自身の識別情報と、設置場所算出手段により生成した設置場所情報と、をそれぞれ対応付けた管理情報を生成する管理情報生成手段と、少なくとも、位置テーブルと、管理情報とを記憶する記憶手段と、を有することを特徴とする。
【０００８】
請求項２記載の発明は、請求項１記載の発明において、携帯端末は、読取手段により資産管理タグを読み取ると同時に、測位手段により位置情報を生成し、資産情報、位置情報、及び、携帯端末の使用者を示す使用者情報又は携帯端末自身の識別情報、をそれぞれ対応付けて記憶することを特徴とする。
【０００９】
請求項３記載の発明は、請求項１又は２記載の発明において、資産管理サーバは、携帯端末から、資産情報、位置情報、及び、携帯端末の使用者を示す使用者情報又は携帯端末自身の識別情報を受信した場合、受信した資産情報に該当する管理情報を記憶手段から検索する検索手段を有し、検索手段による検索の結果、該当する管理情報が記憶手段にない場合、設置場所算出手段により、受信した位置情報と位置テーブルとに基づいて、受信した資産情報の資産の設置場所情報を生成し、管理情報生成手段により、携帯端末から受信した、資産情報、位置情報、及び、携帯端末の使用者を示す使用者情報又は携帯端末自身の識別情報と、生成した設置場所情報とを対応付けて、新規の管理情報として記憶手段に格納することを特徴とする。
【００１０】
請求項４記載の発明は、請求項３記載の発明において、検索手段による検索の結果、該当する管理情報が記憶手段にある場合、設置場所算出手段により、受信した位置情報と位置テーブルとに基づいて、受信した資産情報の資産の設置場所情報を生成し、管理情報生成手段により、生成した設置場所情報と、検索した管理情報の設置場所情報とを比較し、比較の結果、両設置場所情報が一致しない場合、検索した管理情報の設置場所情報を、生成した設置場所情報に更新するとともに、資産の設置位置が変更された旨を示す変更情報を、資産管理サーバの出力手段又は携帯端末の出力手段へ出力することを特徴とする。
【００１１】
請求項５記載の発明は、請求項１から４のいずれか１項に記載の発明において、資産情報は、資産の有形固定資産の区分けを示す資産番号と、資産の名称を示す識別情報とを含むことを特徴とする。
【００１２】
請求項６記載の発明は、請求項１から５のいずれか１項に記載の発明において、位置テーブルは、建物内のフロアを所定の大きさのゾーンに分割したテーブルであることを特徴とする。
【００１３】
請求項７記載の発明は、請求項１から６のいずれか１項に記載の資産管理システムにおいて資産管理サーバとして用いられることを特徴とする。
【００１４】
請求項８記載の発明は、管理対象となる資産と、携帯端末と、携帯端末と通信を行う資産管理サーバと、を用いて行う資産管理方法であって、携帯端末は、資産が有する資産管理タグから、資産を識別するための資産情報を読み取る資産情報読取ステップと、ＧＰＳ衛星から受信した信号に基づいて現在位置を示す位置情報を生成する位置情報生成ステップと、資産情報、位置情報、及び、携帯端末の使用者を示す使用者情報又は携帯端末自身の識別情報を資産管理サーバへ送信する情報送信ステップと、を行い、資産管理サーバは、携帯端末から受信した位置情報と、位置情報と資産が設置される建物内の位置とを対応させた位置テーブルと、に基づいて、携帯端末から受信した資産情報の資産が建物内のどのゾーンに属するかを計算し、資産の設置場所を示す設置場所情報を生成する設置場所算出ステップと、携帯端末から受信した、資産情報、位置情報、及び、携帯端末の使用者を示す使用者情報又は携帯端末自身の識別情報と、設置場所算出ステップで生成した設置場所情報と、をそれぞれ対応付けた管理情報を生成する管理情報生成ステップと、管理情報を記憶手段に記憶する管理情報記憶ステップと、を行うことを特徴とする。
【００１５】
請求項９記載の発明は、請求項８記載の発明において、携帯端末は、資産情報読取ステップと、位置情報生成ステップとを行った後、資産情報、位置情報、及び、携帯端末の使用者を示す使用者情報又は携帯端末自身の識別情報、をそれぞれ対応付けて記憶する各種情報記憶ステップをさらに行うことを特徴とする。
【００１６】
請求項１０記載の発明は、請求項８又は９記載の発明において、資産管理サーバは、携帯端末から、資産情報、位置情報、及び、携帯端末の使用者を示す使用者情報又は携帯端末自身の識別情報を受信した場合、受信した資産情報に該当する管理情報を記憶手段から検索する検索ステップを行い、検索ステップの結果、該当する管理情報が記憶手段にない場合、設置場所算出ステップで、受信した資産情報の資産の設置場所情報を生成し、管理情報生成ステップで、携帯端末から受信した、資産情報、位置情報、及び、携帯端末の使用者を示す使用者情報又は携帯端末自身の識別情報と、生成した設置場所情報とを対応付けて、新規の管理情報として生成し、管理情報記憶ステップで、新規の管理情報を記憶手段に格納することを特徴とする。
【００１７】
請求項１１記載の発明は、請求項１０記載の発明において、検索ステップの結果、該当する管理情報が記憶手段にある場合、設置場所算出ステップで、受信した資産情報の資産の設置場所情報を生成した後、生成した設置場所情報と、検索した管理情報の設置場所情報とを比較する比較ステップを行い、比較ステップの結果、両設置場所情報が一致しない場合、検索した管理情報の設置場所情報を、生成した設置場所情報に更新する更新ステップと、
資産の設置位置が変更された旨を示す変更情報を、資産管理サーバの出力手段又は携帯端末の出力手段へ出力する出力ステップと、を行うことを特徴とする。
【００１８】
請求項１２記載の発明は、請求項８から１１のいずれか１項に記載の発明において、資産情報は、資産の有形固定資産の区分けを示す資産番号と、資産の名称を示す識別情報とを含むことを特徴とする。
【００１９】
請求項１３記載の発明は、請求項８から１２のいずれか１項に記載の発明において、位置テーブルは、建物内のフロアを所定の大きさのゾーンに分割したテーブルであることを特徴とする。
【００２０】
請求項１４記載の発明は、携帯端末と通信を行う資産管理サーバに、請求項８から１３のいずれか１項に記載の資産管理方法を実行させるためのプログラムであって、管理対象となる資産を識別するための資産情報、携帯端末の現在位置を示す位置情報、及び、携帯端末の使用者を示す使用者情報又は携帯端末自身の識別情報を携帯端末から受信する各種情報受信処理と、携帯端末から受信した位置情報と、位置情報と資産が設置される建物内の位置とを対応させた位置テーブルと、に基づいて、携帯端末から受信した資産情報の資産が建物内のどのゾーンに属するかを計算し、資産の設置場所を示す設置場所情報を生成する設置場所算出処理と、携帯端末から受信した、資産情報、位置情報、及び、携帯端末の使用者を示す使用者情報又は携帯端末自身の識別情報と、設置場所算出処理で生成した設置場所情報と、をそれぞれ対応付けた管理情報を生成する管理情報生成処理と、管理情報を記憶手段に記憶する管理情報記憶処理と、を資産管理サーバに実行させることを特徴とする。
【００２１】
請求項１５記載の発明は、請求項１４記載の発明において、携帯端末から、資産情報、位置情報、及び、携帯端末の使用者を示す使用者情報又は携帯端末自身の識別情報を受信した場合、受信した資産情報に該当する管理情報を記憶手段から検索する検索処理を実行させ、検索処理の結果、該当する管理情報が記憶手段にない場合、設置場所算出処理で、受信した資産情報の資産の設置場所情報を生成し、管理情報生成処理で、携帯端末から受信した、資産情報、位置情報、及び、携帯端末の使用者を示す使用者情報又は携帯端末自身の識別情報と、生成した設置場所情報とを対応付けて、新規の管理情報として生成し、管理情報記憶処理で、新規の管理情報を記憶手段に格納することを資産管理サーバに実行させることを特徴とする。
【００２２】
請求項１６記載の発明は、請求項１５記載の発明において、検索処理の結果、該当する管理情報が記憶手段にある場合、設置場所算出処理で、受信した資産情報の資産の設置場所情報を生成した後、生成した設置場所情報と、検索した管理情報の設置場所情報とを比較する比較処理を実行させ、比較処理の結果、両設置場所情報が一致しない場合、検索した管理情報の設置場所情報を、生成した設置場所情報に更新する更新処理と、資産の設置位置が変更された旨を示す変更情報を、資産管理サーバの出力手段又は携帯端末の出力手段へ出力する出力処理と、を資産管理サーバに実行させることを特徴とする。
【発明の効果】
【００２３】
本発明によれば、建物内の所定範囲における資産管理を簡便に実現することが可能となる。
【発明を実施するための最良の形態】
【００２４】
以下、本発明を実施するための最良の形態について添付図面を参照して詳細に説明する。
【００２５】
本発明の実施形態である資産管理システムの概略構成を図１に示す。本資産管理システムは、資産１に貼付される資産管理タグ５と、携帯端末２と、資産管理サーバ３と、ＧＰＳ衛星６とにより構成される。携帯端末２は資産管理タグ５から資産情報を読み取るとともに、ＧＰＳ衛星から信号を受信する。また、携帯端末２と管理データベース３とは、有線又は無線通信によりデータの送受信が可能である。
【００２６】
本資産管理システムの管理対象である資産１は、複数の装置や物品、例えば、パーソナルコンピュータ、コピー機、備品等であり、ビル等の建物のフロア等に配置されるものとする。これらの資産は、それぞれ、リース資産、設備資産等の有形固定資産に区分けされており、購入時等に個別の資産番号が割り当てられている。
【００２７】
また、資産１には、非接触ＩＣ（Integrated Circuit）タグやバーコード等の資産管理タグ５が貼付されており、この資産管理タグ５に内蔵されたＩＣメモリ（図示せず）には、上記資産番号、及び、資産の名称等を示す識別情報を含む資産情報が記憶されている。
【００２８】
図２は図１の携帯端末２の概略機能ブロック図である。携帯端末２は、携帯電話等の移動体通信端末装置であり、図２に示すように、図示しない公衆通信網と通信を行うための公衆通信部１１、資産管理サーバ３と通信を行うための近距離通信部１２、操作キーなどの入力部１３、ＬＣＤ（Liquid Crystal Display）などの表示部やスピーカ、バイブレータなどの出力部１４、これら各部の機能制御を行う制御部（ＣＰＵ：Central Processing Unit）１５と、この制御部１５の制御動作をプログラムとして格納すると共に、読み取った資産情報、各種のデータやパラメータを格納する記憶部１６、ＧＰＳ衛星６からの信号に基づいて携帯端末２自身の現在位置を測位し、現在位置を示す位置情報を生成する測位部１７、資産管理タグ５から資産情報を読み取るための資産情報読取装置（例えば、ＲＦＩＤリーダ、バーコードリーダ等）１８、を有して構成されている。
【００２９】
携帯端末２の制御部１５は、記憶部１６に記憶されるプログラムに従って、各種データの処理を行う。このプログラムとしては、例えば、携帯端末２を携帯電話として機能させるためのプログラム、ＧＰＳ衛星６から図示しないＧＰＳアンテナ（測位部１７に含む）で受信した信号に基づいて、携帯端末２の緯度及び経度を位置情報として取得するプログラム、入力部１３及び資産情報読取装置１８から取得したデータを加工するプログラム、などがある。
【００３０】
図１の資産管理サーバ３は、図３に示す管理情報を管理するためのデータベースサーバ装置であり、図１に示す管理データベース４の他に、図示はしていないが、ＣＰＵ等から構成される少なくとも各種データの処理・演算を行う制御部、操作キー等の入力部、音声や画像を出力するための出力部、公衆通信網及び携帯端末２と通信を行うための送受信部、メモリ等から構成され、各種データを記憶するための記憶部を有している。さらに、この記憶部には、少なくとも、資産管理サーバ３における処理動作を制御するためのプログラムが格納されている。
【００３１】
図３は管理データベース４で管理される管理情報の一例を示す図である。管理情報２０は、資産１に貼付された資産管理タグ５から携帯端末２で読み取った資産情報（資産番号、識別情報）、携帯端末２で生成した位置情報、携帯端末２で調査開始前に予め登録された調査者名（又は携帯端末２自身を識別するための識別情報）に基づいた情報であり、図３に示すように、識別情報（資産名等）、資産番号（資産種別等）、携帯端末２により資産１を調査した者（携帯端末２の使用者）を示す調査者名（又は携帯端末２の識別情報）、位置情報、及び資産１の設置場所を示す設置場所情報がそれぞれ対応付けられた情報である。
【００３２】
図４は管理データベース４で管理される位置テーブルの一例を示す図である。位置テーブル３０は、予め管理データベース４に登録される、携帯端末２から受信した位置情報と事業所内のフロアの位置を対応させるテーブルであり、図４に示すように、フロアを任意の大きさのゾーンに分割されたテーブルである。資産管理サーバ３は、携帯端末２から受け取った位置情報と図４に示す位置テーブル３０とに基づいて、携帯端末２から受信した資産情報の資産がフロア内のどのゾーンに属するか（設置されているか）を計算する。
【００３３】
次に、本資産管理システムの動作について図５を用いて説明する。
調査者がフロア内の資産を調査する場合、まず、携帯端末２の資産情報読取装置１８により、所定の資産１に貼付された資産管理タグ５を読み取り、資産情報（識別情報及び資産番号）を取得する（ステップＳ１）。資産情報の読取と同時に携帯端末２内の測位部１７によって位置情報を生成し、位置情報、資産情報、さらに資産調査開始前に予め携帯端末２内に登録された調査者名（又は携帯端末２の識別情報）をそれぞれ対応付けて記憶部１６に記録する（ステップＳ２）。これは、調査する資産が複数ある場合に、連続して資産情報を読み取るためである。よって、調査する資産の数の分、ステップＳ１，Ｓ２を繰り返す。
【００３４】
所定の資産について資産管理タグの読取が終わったら、携帯端末２内に記憶された各情報（資産情報、位置情報、調査者名又は携帯端末２の識別情報）を資産管理サーバ３に送信する（ステップＳ３）。以上のように、ステップＳ１〜Ｓ３までは、携帯端末２における動作である。
【００３５】
携帯端末２から各情報（資産情報、位置情報、調査者名又は携帯端末２の識別情報）を受信した資産管理サーバ３は、受信した資産情報の識別情報及び資産番号に該当する管理情報２０を管理データベース４内から検索する（ステップＳ４）。
【００３６】
該当する管理情報が管理データベース４内にない場合（ステップＳ４／ＮＯ）、新規の管理情報を生成するために、受信した位置情報と位置テーブル３０とに基づいて、資産が設置されている事業所内のフロア位置を計算し、資産の設置場所を示す設置場所情報を生成する（ステップＳ８）。受信した各情報（資産情報、位置情報、調査者名又は携帯端末２の識別情報）と、生成した設置場所情報とを対応付けて、新規の管理情報として管理データベースに記録し（ステップＳ９）、処理を完了する。
【００３７】
一方、該当する管理情報が管理データベース４内に以前に記録されて既にある場合（ステップＳ４／ＹＥＳ）、受信した位置情報と位置テーブル３０とに基づいて、資産が設置されている事業所内のフロア位置を計算し、資産の設置場所を示す設置場所情報を生成し、生成した設置場所情報と、検索された管理情報の設置場所情報とを比較する（ステップＳ６）。
【００３８】
両設置場所情報が一致した場合（ステップＳ６／ＹＥＳ）、一連の処理を完了する。一方、両設置場所情報が一致しない場合（ステップＳ６／ＮＯ）、資産の設置場所が前回調査時と変更したものとみなし、設置場所情報を今回算出したフロア位置に基づく設置場所情報に更新するとともに、当該資産が前回調査時の設置位置から変更された旨を資産管理サーバ３の出力部であるディスプレイに表示する（又は、携帯端末２へ設置位置変更情報を出力し、携帯端末２の出力部１４に表示させる）。また、該当フロア内で未更新の資産を表示する（ステップＳ７）。以上のように、ステップＳ４〜Ｓ９までは、資産管理サーバ３における動作である。
【００３９】
以上説明したように、本実施形態によれば、店舗内やフロア内等の比較的狭い範囲において、手作業による調査、集計を短縮し、また入力ミス等を減らすことができ、簡便な資産管理を実現することが可能となる。
【００４０】
以上、本発明の実施形態について説明したが、上記実施形態の記載に限定されるものではなく、その要旨を逸脱しない範囲において種々の変形が可能である。
【産業上の利用可能性】
【００４１】
本発明は、多量の物品や商品を管理するシステム全般に適用できる。
【図面の簡単な説明】
【００４２】
【図１】本発明の実施形態に係る資産管理システムの全体構成を示すブロック図である。
【図２】本発明の実施形態に係る携帯端末の機能構成を示すブロック図である。
【図３】本発明の実施形態に係る資産管理サーバに保持される管理情報の一例を示す図である。
【図４】本発明の実施形態に係る資産管理サーバに保持される位置テーブルの一例を示す図である。
【図５】本発明の実施形態に係る資産管理システムの動作を示すフローチャートである。
【符号の説明】
【００４３】
１    資産
２    携帯端末
３    資産管理サーバ
４    管理データベース
５    資産管理タグ
６    ＧＰＳ衛星
１１    公衆網通信部
１２    近距離通信部
１３    入力部
１４    出力部
１５    制御部（ＣＰＵ）
１６    記憶部
１７    測位部（ＧＰＳ）
１８    資産情報読取装置
２０    管理情報
３０    位置テーブル
【図１】
2007316996.tif 000003
【図２】
2007316996.tif 000004
【図３】
2007316996.tif 000005
【図４】
2007316996.tif 000006
【図５】
2007316996.tif 000007